(57)【要約】【課題】携帯性に優れ尚かつ特定の機器に装着されることで通常使用状態における水平面内のアンテナ利得を高くすることができる無線送受信カード及び前記特定の機器を提供する。【解決手段】無線送受信カードは、無線送受信用にポール状アンテナを備え、該無線送受信カードの主平面とポール状アンテナの長手方向とが略平行であることを特徴とする。また、ヘッドセット４は、前記無線送受信カードを装着するスロット部５及び６を備え、スロット部５及び６が前記無線送受信カードを装着することによって、前記無線送受信カードのポール状アンテナがヘッドセット４の通常使用状態において略垂直方向に立設することを特徴とする。【選択図】      図２
2004320234.tif 000002
【特許請求の範囲】
【請求項１】
無線送受信用にポール状アンテナを備えた無線送受信カードであって、該無線送受信カードの主平面と前記ポール状アンテナの長手方向とが略平行であることを特徴とする無線送受信カード。
【請求項２】
請求項１に記載の無線送受信カードを装着する装着手段を備え、前記装着手段が前記無線送受信カードを装着することによって、通常使用状態において前記無線送受信カードのポール状アンテナが略垂直方向に立設することを特徴とするヘッドセット。
【請求項３】
前記装着手段が回動する請求項２に記載のヘッドセット。
【請求項４】
一対の聴取部と、通常使用状態において使用者の頭上をまたぐ形で前記一対の聴取部をつなぐ繋ぎ部と、を備え、
前記繋ぎ部にパッチアンテナが配設される請求項２又は請求項３に記載のヘッドセット。
【請求項５】
請求項１に記載の無線送受信カードと、請求項２〜４のいずれかに記載のヘッドセットと、電気機器と、を備え、
前記ヘッドセットと前記電気機器が共通の通信インターフェースを具備することを特徴とするワイヤレスネットワーク端末。
【請求項６】
請求項１に記載の無線送受信カードを装着する装着手段を備え、前記装着手段が前記無線送受信カードを装着することによって、通常使用状態において前記無線送受信カードのポール状アンテナが略垂直方向に立設することを特徴とする電気機器。
【発明の詳細な説明】
【０００１】
【発明の属する技術分野】
本発明は、無線ＡＶストリーム伝送や無線ＩＰデータ伝送等を行うワイヤレスネットワークシステムの一構成部分である無線送受信カード等の無線伝送モジュールに関する。
【０００２】
【従来の技術】
近年ワイヤレスネットワークシステムが急速に普及している。このワイヤレスネットワークシステムの一構成部分となる無線モバイル端末の一例として、図７に示す２．４ＧＨｚ帯等無線ＬＡＮカード１００を装着したノート型パーソナルコンピュータ１０１が挙げられる。無線ＬＡＮカード１００はパッチ状の内蔵アンテナ１０２を内部に有しており、カードの主平面が通常使用状態において水平になるようにノート型パーソナルコンピュータ１０１に装着される。このような無線ＬＡＮカードは例えば非特許文献１に開示されている。なお、主平面とは、略直方体の六面のうち最も面積の大きい二面のことをいう。
【０００３】
また、外部に突出するポール状アンテナを具備する移動通信端末が特許文献１に開示されている。当該移動通信端末は、主平面の法線方向とポール状アンテナの長手方向が一致するように当該主平面に直接ポール状アンテナを装備することで、通常使用状態における水平方向のアンテナ利得を確保している。また、特許文献１に開示されている移動通信端末は、２つの主平面それぞれの内面にパッチ状の内蔵アンテナを配設することで、通常使用状態における垂直方向のアンテナ利得を確保している。
【０００４】
【特許文献１】
特開２００１−２８５６０号公報
【非特許文献１】
“２．４ＧＨｚ／５ＧＨｚワイヤレスＬＡＮ  ＰＣカード”、［ｏｎｌｉｎｅ］、［平成１５年２月２１日検索］、インターネット＜ＵＲＬ  ｈｔｔｐ：／／ｗｗｗ．ｅｃａｔ．ｓｏｎｙ．ｃｏ．ｊｐ／ｖａｉｏ／ａｃｃ／ａｃｃ．ｃｆｍ？ｐｄ＝１０５５６＞
【０００５】
【発明が解決しようとする課題】
しかしながら、非特許文献１で開示されている無線ＬＡＮカードは、アンテナを内蔵する構造であるため通常使用状態の水平面内において３６０度方向すべてに高いアンテナ利得を確保することが難しいという問題があった。このような問題を解消するために、図８に示すように無線ＬＡＮカード１００からアンテナケーブル１０３を引き出して外部設置の高利得アンテナ１０４に接続する構成も考えられるが、無線モバイル端末であるノート型パーソナルコンピュータ１０１以外に高利得アンテナ１０４を一緒に持ち歩かなければならないという煩わしさが生じたり、高利得アンテナ１０４を使う場合は高利得アンテナ１０４をどこかに設置するか又は使用者自身が何らかの方法で高利得アンテナ１０４を保持しなければならないという煩わしさが生じる。
【０００６】
また、特許文献１で開示されている移動通信端末（例えば無線ＬＡＮカード）は、ポール状アンテナが移動通信端末の主平面から垂直に突出する構造であり、持ち運びにくい形状であるという問題があった。そこで、持ち運び易くするために図９に示す無線ＬＡＮカードのように、回動部１０５を設けてポール状アンテナ１０６を折り畳み式にすることが考えられるが、このようにポール状アンテナ１０６を折り畳み式にすると、使用する機会ごとにポール状アンテナ１０６を立ててポール状アンテナ１０６の長手方向と無線ＬＡＮカードの主平面の法線方向とを一致させる作業すなわち図９（ａ）の状態から図９（ｂ）の状態にする作業が必要となり、その作業が煩わしいという問題があった。
【０００７】
また、非特許文献１で開示されている無線ＬＡＮカードと特許文献１で開示されている移動通信端末のいずれにおいても、通常使用状態ではポール状アンテナの位置が使用者の顔の位置よりも下部になる。このため、送受信の相手方（無線アクセスポイントや無線ホームゲートウエイ等）の位置によっては送受信の相手方（無線アクセスポイントや無線ホームゲートウエイ等）に対してポール状アンテナが使用者の体の陰に位置することになり、ポール状アンテナの利得が低下するという問題もあった。
【０００８】
本発明は、上記の問題点に鑑み、携帯性に優れ尚かつ特定の機器に装着されることで通常使用状態における水平面内のアンテナ利得を高くすることができる無線送受信カード及び前記特定の機器並びにこれらを具備するワイヤレスネットワーク端末を提供することを目的とする。
【０００９】
【課題を解決するための手段】
上記目的を達成するために、本発明に係る無線送受信カードにおいては、無線送受信用にポール状アンテナを備え、前記無線送受信カードの主平面と前記ポール状アンテナの長手方向とが略平行であるようにする。
【００１０】
本発明に係る無線送受信カードは、上記のように無線送受信カードの主平面とポール状アンテナの長手方向とが略平行になる構造であり全体として平板形状となるので、携帯性に優れている。また、折り畳み構造ではないので、使用機会ごとにポール状アンテナを立てる作業をするという煩わしさもない。そして、後述する本発明に係るヘッドセット等の特定の機器に装着されることで通常使用状態において前記無線送受信カードのポール状アンテナが略垂直方向に立設するので、通常使用状態における水平面内の３６０度方向全てに高いアンテナ利得を確保することができる。
【００１１】
また、上記目的を達成するために、本発明に係るヘッドセットにおいては、上記構成の無線送受信カードを装着する装着手段を備え、前記装着手段が前記無線送受信カードを装着することによって、通常使用状態において前記無線送受信カードのポール状アンテナが略垂直方向に立設するようにする。
【００１２】
本発明に係るヘッドセットが上記無線送受信カードを装着することで、通常使用状態において無線送受信カードのポール状アンテナを略垂直方向に立設させることができるので、通常使用状態における水平面内の３６０度方向全てに高いアンテナ利得を確保することができる。また、本発明に係るヘッドセットは使用者の頭に装着されるので、本発明に係るヘッドセットに装着される上記無線送受信カードのポール状アンテナの位置が使用者の顔の位置よりも下部にならないため、送受信の相手方（無線アクセスポイントや無線ホームゲートウエイ等）に対してポール状アンテナが使用者の体の陰に位置することがなくなる。
【００１３】
また、上記構成のヘッドセットにおいて、前記装着手段が回動するようにしてもよく、一対の聴取部と通常使用状態において使用者の頭上をまたぐ形で前記一対の聴取部をつなぐ繋ぎ部とを備えて前記繋ぎ部にパッチアンテナが配設されるようにしてもよい。
【００１４】
通常使用状態において無線送受信カードのポール状アンテナが略垂直方向に立設する状態では、送受信の相手方（無線アクセスポイントや無線ホームゲートウエイ等）のアンテナとヘッドセットに装着された無線送受信カードのポール状アンテナのお互いにとってアンテナ利得が高くなる水平面の高さが上下にずれる場合、送受信の相手方（無線アクセスポイントや無線ホームゲートウエイ等）のアンテナとの位置関係に応じて装着手段を回動させることで、無線送受信カードのポール状アンテナが送受信の相手方（無線アクセスポイントや無線ホームゲートウエイ等）のアンテナに向かって指向性をもつようにすることができる。これにより、無線送受信カードのポール状アンテナが送受信の相手方（無線アクセスポイントや無線ホームゲートウエイ等）へ送信する無線電波強度と、無線送受信カードのポール状アンテナで受信する無線電波強度が高められ、より良い送受信特性を確保したいときに対応でき、結果的に広いエリアで良好な送受信が可能となる。また、通常使用状態において使用者の頭上をまたぐ形で一対の聴取部をつなぐ繋ぎ部にパッチアンテナが配設されることによって、垂直方向のアンテナ利得を大きくすることができる。
【００１５】
また、上記目的を達成するために、本発明に係るワイヤレスネットワーク端末においては、上記構成の無線送受信カードと、上記いずれかの構成のヘッドセットと、電気機器と、を備え、前記ヘッドセットと前記電気機器が共通の通信インターフェースを具備する構成とする。
【００１６】
無線送受信カードを装備したヘッドセットとそれに繋がる電気機器とが共通の通信インターフェースを備えることによって、移動先に携行する際に必要があるのは無線送受信カードを装備したヘッドセットだけとなり、移動先にある共通の通信インターフェースを備える電気機器を借りることによって映像データや音声データの送受信が可能となる。このため移動時の携行品が減り、移動時の使用者の負担が軽くなる。
【００１７】
また、上記目的を達成するために、本発明に係る電気機器においては、上記構成の無線送受信カードを装着する装着手段を備え、前記装着手段が前記無線送受信カードを装着することによって、通常使用状態において前記無線送受信カードのポール状アンテナが略垂直方向に立設するようにする。
【００１８】
本発明に係る電気機器が上記無線送受信カードを装着することで、通常使用状態において無線送受信カードのポール状アンテナを略垂直方向に立設させることができるので、通常使用状態における水平面内のアンテナ利得を高くすることができる。
【００１９】
【発明の実施の形態】
以下に本発明の一実施形態について図面を参照して説明する。まず、本発明に係る無線送受信カードについて説明する。本発明に係る無線送受信カードは、無線送受信用に少なくとも１本のポール状アンテナを備え、当該無線送受信カードの主平面と当該ポール状アンテナの長手方向とが略平行になる構造である。なお、カードの主平面とは、カード形状である略直方体の六面のうち最も面積の大きい二面のことをいう。
【００２０】
本発明に係る無線送受信カードの外観斜視図を図１に示す。図１の無線送受信カード１は、ダイバーシティ方式の送受信を可能とするために２本のポール状アンテナ２及び３を具備している。そして、無線送受信カードの主平面とポール状アンテナ２及び３の長手方向とが略平行になっている。本発明に係る無線送受信カードは、当該無線送受信カードの主平面とポール状アンテナの長手方向とが略平行になる構造であり全体として平板形状となるので、アンテナがカードの主平面から垂直に突出する構造であり全体としてＬ字形状となる無線送受信カードに比べて携帯性に優れており、例えば携行用かばん等に収納しやすくなる。また、図９の無線ＬＡＮカードのように折り畳み構造にする必要がないので、使用機会ごとにポール状アンテナを立てる作業をするという煩わしさを使用者が被らない。
【００２１】
なお、本実施形態では２本のポール状アンテナを具備した無線送受信カードについて説明したが、本発明に係る無線送受信カードはこれに限定されることはなく１本のポール状アンテナを具備する構成であっても３本以上のポール状アンテナを具備する構成であってもよい。また、本実施形態ではポール状アンテナとカードの主平面の長辺とが略平行であるが（図１参照）、本発明に係る無線送受信カードはこれに限定されることはなくポール状アンテナとカードの主平面の長辺とは略平行でなくても構わない。
【００２２】
続いて、本発明に係るヘッドセットについて説明する。本発明に係るヘッドセットは図１の無線送受信カードを装着することができる。図１の無線送受信カードが装着された状態の本発明に係るヘッドセットの外観斜視図を図２に示す。
【００２３】
図２のヘッドセット４は、スロット部５及び６と、聴取部７及び８と、繋ぎ部９と、マイク部１０と、連結部材１１と、ＵＳＢケーブル１２とを備えている。スロット部５は、ヘッドセット４の通常使用状態においてスロット部５の内部に差し込まれる無線送受信カードのポール状アンテナが略垂直方向に立設するように、聴取部７の外側に設けられる。スロット部６は、ヘッドセット４の通常使用状態においてスロット部６の内部に差し込まれる無線送受信カードのポール状アンテナが略垂直方向に立設するように、聴取部８の外側に設けられる。スロット部５及び６は、図１の無線送受信カードが内部に差し込まれることで図１の無線送受信カード内部のＵＳＢインターフェース（図示せず）とヘッドセット４内部のＵＳＢインターフェース（図示せず）とが接続される。なお、ヘッドセットの通常使用状態とは、使用者がヘッドセットを正しく装着し（例えば、図２のように繋ぎ部９を有する構造の場合は繋ぎ部９が頭上をまたぐように装着する）、尚かつ使用者の頭上が垂直真上方向を向いている状態（すなわち使用者が寝転んだ状態等は含まれない）のことをいう。
【００２４】
例えば２．４ＧＨｚ帯無線送受信カードをスロット部５に差し込み、５．２ＧＨｚ帯無線送受信カードをスロット部６に差し込むようにするとよい。これにより、２種類のデータを無線送受信することができる。例えば、２．４ＧＨｚ帯無線送受信をＩＰ電話用として利用し、５．２ＧＨｚ帯無線送受信ＡＶストリーム用として利用することができる。
【００２５】
聴取部７の内側及び聴取部８の内側にそれぞれ小型スピーカーが設けられている。また、繋ぎ部９は、通常使用状態において使用者の頭上をまたぐ形で聴取部７と聴取部８とを連結している。また、マイク部１０が通常使用状態において使用者の口元に支持されるように、連結部材１１が聴取部７とマイク部１０とを連結している。そして、ＵＳＢケーブル１２が聴取部８に接続されており、このＵＳＢケーブル１２がノート型パーソナルコンピュータ１３のＵＳＢコネクタに接続されることで、スロット部５及び６にそれぞれ差し込まれている無線送受信カードとノート型パーソナルコンピュータ１３とがヘッドセット４を介して電気的に接続されるとともに、スロット部５及び６にそれぞれ差し込まれている無線送受信カードとヘッドセット４とにノート型パーソナルコンピュータ１３から電力が供給される。
【００２６】
このような構成によると、ヘッドセット４の通常使用状態においてスロット部５及び６に差し込まれる無線送受信カードのポール状アンテナが略垂直方向に立設するとともに、ヘッドセット４の通常使用状態においてポール状アンテナの位置が使用者の顔の位置よりも下部にならないため送受信の相手方（無線アクセスポイントや無線ホームゲートウエイ等）に対してポール状アンテナが使用者の体の陰に位置することがなくなる。したがって、通常使用状態の水平面内において３６０度方向すべてに高いアンテナ利得を確保することができる。
【００２７】
また、無線送受信カードをヘッドセット４のスロット部５及び６に装着して保持することになるので、手などを使って支持する煩わしさ、高い位置にアンテナを位置させるためにどこか適切な高い位置に無線送受信カードを置いたり或いは外部アンテナを別途準備して無線送受信カードから外部アンテナまでアンテナケーブルをはわせたりすることでアンテナの送受信特性を良くするという煩わしさから解放される。
【００２８】
なお、ポール状アンテナの一つであるダイポールアンテナは、アンテナ利得２．１４ｄＢｉを３６０度水平方向に持たせることができる。一方、図７に示したチップ状の内蔵アンテナは、無指向特性でアンテナ利得０ｄＢｉ程度のものが多くアンテナ利得２．１４ｄＢｉを越える効率のものは現状ほとんどない。したがって、図７の場合より図２の場合の方がアンテナ利得自体を高くすることができる。
【００２９】
さらに、ヘッドセット４において、良好な送受信特性を確保する観点からスロット部５及び６に装着される無線送受信カードの主平面の法線方向が変化しないようにスロット部５及び６が回動できるようにすることが好ましい。スロット部５及び６がこのように回動することにより、ヘッドセット４の通常使用状態において、スロット部５及び６に装着される無線送受信カードのポール状アンテナを垂直方向から前後に任意の角度傾かせて立設することができる。スロット部５及び６が回動することが好ましい理由を図３（ａ）及び図３（ｂ）を参照して以下に説明する。なお、図３（ａ）及び図３（ｂ）において、図２と同一の部分には同一の符号を付し、詳細な説明を省略する。
【００３０】
例えば図３（ａ）に示すように無線アクセスポイント１４を机１５の上に設置することによって、ヘッドセット４に装着された無線送受信カードのポール状アンテナと無線アクセスポイント１４のアンテナとが同一の水平面内にあれば、ヘッドセット４に装着された無線送受信カードと無線アクセスポイント１４との双方で受信できる無線電波の強度がお互い高くできるので良好な送受信が可能となる。したがって、ヘッドセット４に装着された無線送受信カードのポール状アンテナと無線アクセスポイント１４のアンテナとが同一の水平面内にある場合は、ヘッドセット４に装着された無線送受信カードのポール状アンテナの長手方向が垂直方向に固定されていても何ら問題はない。なお、無線アクセスポイント１４は、ヘッドセット４に装着された無線送受信カードのアンテナと同様なアンテナ利得を持つものアンテナを搭載している。また、図３（ａ）では図示していないが、ヘッドセット４は使用者の頭に装着されることで支持されている。
【００３１】
一方、部屋内の広いエリアを送受信可能エリアとしてカバーする観点から、図３（ｂ）に示すように壁１６の高い位置に無線アクセスポイント１７が掛けられる場合がある。この場合、ヘッドセット４に装着された無線送受信カードのポール状アンテナの長手方向が垂直方向に固定されたままでは、ヘッドセット４に装着された無線送受信カードのポール状アンテナと無線アクセスポイント１７のアンテナのお互いにとってアンテナ利得が高くなる水平面の高さが上下にずれるため、お互い無線電波の受信強度が弱くなり、良好に送受信できるエリアが狭くなるという問題があった。
【００３２】
そこで、図３（ｂ）に示すようにスロット部が回転軸１８を支点としてスロット部に装着される無線送受信カードの主平面の法線方向が変化しないように回動することにより、ヘッドセット４の通常使用状態において、スロット部に装着される無線送受信カードのポール状アンテナを垂直方向から前後に任意の角度傾かせて立設することができる。
【００３３】
図３（ｂ）では、無線送受信カードのポール状アンテナが垂直方向から後にα度傾いているが、この角度α度を無線アクセスポイント１７の位置関係に応じて調整し、無線送受信カードのポール状アンテナが無線アクセスポイント１７のアンテナに向かって指向性をもつようにすればよい。これにより、無線送受信カードのポール状アンテナが無線アクセスポイント１７へ送信する無線電波強度と、無線送受信カードのポール状アンテナで受信する無線電波強度が高められ、より良い送受信特性を確保したいときに対応でき、結果的に広いエリアで良好な送受信が可能となる。なお、無線アクセスポイント１７は、ヘッドセット４に装着された無線送受信カードのアンテナと同様なアンテナ利得を持つものアンテナを搭載している。また、図３（ｂ）では図示していないが、ヘッドセット４は使用者の頭に装着されることで支持されている。
【００３４】
上述した通り本実施形態ではスロット部が該スロット部に装着される無線送受信カードの主平面の法線方向が変化しないように回動する機構としたが、本発明はこれに限定されることはなく、スロット部が該スロット部に装着される無線送受信カードの主平面の法線方向が変化するように回動する機構としても構わない。スロット部が該スロット部に装着される無線送受信カードの主平面の法線方向が変化するように回動する機構では、例えばスロット部に装着される無線送受信カードのポール状アンテナを垂直方向から左右に任意の角度傾かせて立設することができる。
【００３５】
また、垂直方向のアンテナ利得を大きくする観点から、図４に示すようにヘッドセット４の繋ぎ部９の内部又は表面にパッチアンテナ１９を配設し、パッチアンテナ１９と無線送受信カードのポール状アンテナとによってダイバーシティ方式の送受信が行われるようにしてもよい。パッチアンテナ１９は円錐状の指向特性２０を持っておりこれにて垂直真上方向、たとえば家屋内では上階方向との送受信特性を改善できる。したがって、無線送受信カードのポール状アンテナだけではヘッドセット４の通常使用状態における垂直真上方向へのアンテナ利得があまりなく、図３（ｂ）に示したスロット部の回動によっても垂直真上方向へのアンテナ利得を稼ぎにくい場合に対応できる。
【００３６】
ヘッドセット４に設けられるパッチアンテナは本実施形態では１つであるが、当然複数個用意してポール状アンテナの指向特性２１がカバーできない方向をカバーして、できる限りアンテナ利得のヌル点がなくなるように配置してもよい。例えば、繋ぎ部９の形状を工夫して通常使用状態における使用者の頭部後ろ方向に繋ぎ部９を張り出して、その張り出した部分に小型パッチアンテナを裏向けて配設して下方へ円錐状の指向特性をもたせるようにし、家屋内で下階方向との送受信特性を改善することも考えられる。
【００３７】
また、本実施形態では、ヘッドセットにスロット部を二つ設けたが、本発明はこれに限定されることはなく、例えばスロット部を一つにしても構わない。また、本実施形態では、ヘッドセットにマイクを設けたが使用者の声を送信する必要がない場合はマイクを設けなくても構わない。また、スロット部が聴取部に内蔵される構造であってもよい。
【００３８】
次に、図２に示したヘッドセット４とそのヘッドセット４に装着される無線送受信カードとＵＳＢコネクタを有するノート型パーソナルコンピュータ１３とによって構成されるワイヤレスネットワーク端末の回路ブロック図を図５に示す。
【００３９】
無線送受信カード１ａは、ポール状アンテナ２ａ及び３ａと、ＲＦ部２２ａと、変復調部２３ａと、メディアアクセスコントロール部（以下、ＭＡＣ部という）２４ａと、ＵＳＢインターフェース２５ａとを有している。ＲＦ部２２ａは、入力受信信号レベルに応じてポール状アンテナ２ａ及び３ａのいずれか一方を選択するとともに、送受信周波数で搬送波を送受信する。変復調部２３ａは、送受信を行う映像データ、音声データその他のデータを各種規格に準じた変復調処理を行う。ＭＡＣ部２４ａは、無線送受信に必要な各種制御情報の付加又は分離と、外部機器（本実施形態では、ノート型パーソナルコンピュータ１３）とデータのやり取りを行う際に用いられる信号フォーマット（例えば、ＩＰパケット、ストリームデータ等）への変換又は当該信号フォーマットからの逆変換を行う。ＵＳＢインターフェース２５ａは、ヘッドセット４のＵＳＢインターフェース３１とデータ通信を行う。
【００４０】
無線送受信カード１ｂは、無線送受信カード１ａと同一の回路ブロック構成であるので、説明を省略する。
【００４１】
ヘッドセット４は、デジタル信号をアナログ信号に変換するＤ／Ａコンバータ２６と、Ｄ／Ａコンバータ２６から出力されるアナログ信号を増幅するアンプ２７と、アンプ２７の出力信号に基づいて音声を発するスピーカ２８と、マイク２９と、マイク２９から出力されるアナログ信号をデジタル信号に変換するＡ／Ｄコンバータ３０と、ＵＳＢインターフェース３１〜３３とを有している。ノート型パーソナルコンピュータ１３は、ＵＳＢインターフェース３４と、映像データや音声データのデコード、エンコード、制御情報の処理等を行うデータ処理部３５と、文字情報や制御情報を生成してデータ処理部３５に送る入力装置（例えばキーボード）３６と、データ処理部３５から出力される映像データに基づいて映像を表示する表示装置（例えば液晶ディスプレイ）３７とを有している。
【００４２】
無線送受信カード１ａ又は１ｂからデータが出力された場合、そのデータがＵＳＢインターフェース３１又は３２とＵＳＢインターフェース３３とＵＳＢインターフェース３４とを経由してデータ処理部３５に入力される。データ処理部３５は、入力されたデータをデコードし、映像データであればそのデコードした映像データが表示装置３７に送られ、音声データであればそのデコードした音声データがＵＳＢインターフェース３４及び３３を経由してＤ／Ａコンバータ２６に送られる。
【００４３】
また、マイク２９に音声が入力された場合、Ａ／Ｄコンバータ３０から出力されるデジタル信号がＵＳＢインターフェース３３及び３４を経由してデータ処理部３５に入力される。データ処理部３５は、入力された音声データをエンコードし、そのエンコードした音声データはＵＳＢインターフェース３４とＵＳＢインターフェース３３とＵＳＢインターフェース３１又は３２を経由して無線送受信カード１ａのＵＳＢインターフェース２５ａ又は無線送受信カード１ｂのＵＳＢインターフェース２５ｂに送られる。
【００４４】
なお、ヘッドセット４とノート型パーソナルコンピュータ１３とがそれぞれ具備する通信インターフェースはＵＳＢインターフェースに限られないが、一般的なインターフェースであることが好ましい。また、ヘッドセット４が繋がれる電気機器はノート型パーソナルコンピュータ１３に限られず、ヘッドセット４と通信インターフェースが共通していればよい。
【００４５】
上述したように、無線送受信カードが装着されるヘッドセットと該ヘッドセットが繋がれる電気機器とがＵＳＢインターフェースのような共通のインターフェースを備えていると、該共通のインターフェースを備えた電気機器が既に存在する移動先には該無線送受信カードを装着したヘッドセットのみを持っていって使うことが出来るので、自分が手元に所持している電気機器を携行あるいは運送する必要がなくなる。そして、移動先の電気機器が高画質対応で画面サイズが大きい機器であれば、移動先であってもかなり品質の高い映像、画像を受信することができる。また、移動先の電気機器が高画質対応の電気機器でない場合でも共通のインターフェースさえ備えていれば、移動時に無線送受信カードを装着したヘッドセットのみを携行すれば、所要の映像、画像を受信することができる。
【００４６】
ここで、ヘッドセット本体も携行しないで移動先にて本発明に係る無線送受信カードを用いて良好な状態で無線送受信するには、通常使用状態において当該無線送受信カードのポール状アンテナを垂直方向に立設させる構造のスロットを具備する電気機器が移動先にあればよい。
【００４７】
また、本実施形態では、ノート型パーソナルコンピュータのＵＳＢインターフェースを１つとし、それに対応してヘッドセット４においてもノート型パーソナルコンピュータのＵＳＢインターフェースに繋がるＵＳＢインターフェースを１つにしたが、本発明はこれに限定されることはなく、例えばノート型パーソナルコンピュータが複数のＵＳＢインターフェース（無線送受信カード接続用とヘッドセット接続用）を備え、無線送受信カードのＵＳＢインターフェースとノート型パーソナルコンピュータの無線送受信カード接続用ＵＳＢインターフェースとが直接接続され、ヘッドセットはＤ／ＡコンバータとＡ／Ｄコンバータのみに接続されるＵＳＢインターフェースを備え、そのヘッドセットのＵＳＢインターフェースとノート型パーソナルコンピュータのヘッドセット接続用ＵＳＢインターフェースとが直接接続されるようにしてもよい。
【００４８】
次に、ヘッドセット本体も携行しないで移動先にて本発明に係る無線送受信カードを用いて良好な状態で無線送受信するために、移動先に置かれる必要がある本発明に係る電気機器について、ここでは液晶テレビを例に挙げて説明する。本発明に係る液晶テレビの外観斜視図を図６に示す。なお、図６において図１と同一の部分には同一の符号を付し詳細な説明を省略する。図６の液晶テレビはスロット３８を有している。スロット３８に無線送受信カード１が差し込まれると、無線送受信カード１のポール状アンテナが略垂直方向に立設するともに、無線送受信カード１内部に設けられているＵＳＢインターフェース（図示せず）と図６の液晶テレビ内部に設けられているＵＳＢインターフェース（図示せず）とが繋がって、図６の液晶テレビと無線送受信カード１との間でデータのやり取りが可能となる。図６の液晶テレビでは、スロット３８に無線送受信カード１が差し込まれることによって、無線送受信カード１のポール状アンテナが略垂直方向に立設するので、通常使用状態における水平面内のアンテナ利得を高くすることができる。ただし、液晶テレビの設置位置によっては送受信の相手方（無線アクセスポイントや無線ホームゲートウエイ等）に対して液晶テレビに装着される無線送受信カードのポール状アンテナが使用者の体の陰に位置することがなり、アンテナ利得が低下する場合がある。
【００４９】
図６の液晶テレビにおいても、上述したヘッドセットと同様に、無線送受信カード１のポール状アンテナの方向を調整できるようにスロットが回動できる機構にしても構わない。また、液晶テレビの上面３９の表面若しくは内部にパッチアンテナを設けても構わない。さらに、パッチアンテナを複数個用意してポール状アンテナの指向特性がカバーできない方向をカバーして、できる限りアンテナ利得のヌル点がなくなるように配置してもよい。また、無線送受信カード１内部と図６の液晶テレビ内部に設けられているインターフェースはＵＳＢインターフェースに限らず、他のインターフェースを用いても構わない。また、本発明に係る電気機器は、液晶テレビに限らず、各種映像機器、情報機器、通信機器その他の家電製品等であってもよい。
【００５０】
【発明の効果】
本発明によると、携帯性に優れ尚かつ特定の機器に装着されることで通常使用状態における水平面内のアンテナ利得を高くすることができる無線送受信カード及び前記特定の機器並びにこれらを具備するワイヤレスネットワーク端末を実現することができる。
【図面の簡単な説明】
【図１】本発明に係る無線送受信カードの外観斜視図である。
【図２】本発明に係るヘッドセットの構成を示す図である。
【図３】無線アクセスポイントと本発明に係るヘッドセットとの位置関係を示す図である。
【図４】パッチアンテナを有する本発明に係るヘッドセットの構成を示す図である。
【図５】本発明に係るワイヤレスネットワーク端末の回路ブロック図である。
【図６】本発明に係る液晶テレビの外観斜視図である。
【図７】従来の無線モバイル端末の一構成例を示す図である。
【図８】従来の無線モバイル端末の他の構成例を示す図である。
【図９】アンテナが折り畳める無線ＬＡＮカードの外観斜視図である。
【符号の説明】
１  無線送受信カード
２、３  ポール状アンテナ
４  ヘッドセット
５、６  スロット部
７、８  聴取部
９  繋ぎ部
１２  ＵＳＢケーブル
１３  ノート型パーソナルコンピュータ
１８  回転軸
１９  パッチアンテナ
３３、３４  ＵＳＢインターフェース
【図１】
2004320234.tif 000003
【図２】
2004320234.tif 000004
【図３】
2004320234.tif 000005
【図４】
2004320234.tif 000006
【図５】
2004320234.tif 000007
【図６】
2004320234.tif 000008
【図７】
2004320234.tif 000009
【図８】
2004320234.tif 000010
【図９】
2004320234.tif 000011